(57)【要約】【課題】ワイヤロープの付着物を適切に除去し得るワイヤロープ清掃器を提供する。【解決手段】ワイヤロープの付着物を除去するワイヤロープ清掃器であって、ワイヤロープの付着物を除去するためのワイヤロープが通過可能な第１の孔部を有する第１の清掃部と、第１の孔部よりワイヤロープに全体的または部分的に近接する内部構造を含み、第１の孔部を通過した後のワイヤロープの付着物を除去するためのワイヤロープが通過可能な第２の孔部を有する第２の清掃部と、を設けるようにした。【選択図】図１
2018203501.tif 000002
【特許請求の範囲】
【請求項１】
ワイヤロープの付着物を除去するワイヤロープ清掃器であって、
前記ワイヤロープの付着物を除去するための前記ワイヤロープが通過可能な第１の孔部を有する第１の清掃部と、
前記第１の孔部より前記ワイヤロープに全体的または部分的に近接する内部構造を含み、前記第１の孔部を通過した後の前記ワイヤロープの付着物を除去するための前記ワイヤロープが通過可能な第２の孔部を有する第２の清掃部と、
を備えることを特徴とするワイヤロープ清掃器。
【請求項２】
前記第１の孔部は、前記ワイヤロープの外周の付着物を除去するように、前記ワイヤロープの外接円の直径以上の直径を有し、
前記第２の孔部は、前記ワイヤロープの溝の付着物を除去するように、前記ワイヤロープに係合する係合部を有する、
ことを特徴とする請求項１に記載のワイヤロープ清掃器。
【請求項３】
前記第２の清掃部を回転可能に支持する本体支持部を備え、
前記第２の清掃部は、前記ワイヤロープの送り出しまたは巻き取り動作に合わせて、前記ワイヤロープの周方向に回転しながら前記ワイヤロープの溝の付着物を除去する、
ことを特徴とする請求項２に記載のワイヤロープ清掃器。
【請求項４】
前記第１の清掃部に前記第２の清掃部を連結可能であり、
前記第１の清掃部は、前記第２の清掃部で除去された付着物を排出する排出口を備える、
ことを特徴とする請求項１に記載のワイヤロープ清掃器。
【請求項５】
前記第１の清掃部は、複数の第１の部材に分解可能であり、
前記複数の第１の部材の各々は、前記ワイヤロープを挟んで固定部材により固定され、
前記第２の清掃部は、複数の第２の部材に分解可能であり、
前記複数の第２の部材の各々は、前記ワイヤロープを挟んで固定部材により固定されている、
ことを特徴とする請求項１に記載のワイヤロープ清掃器。
【発明の詳細な説明】
【技術分野】
【０００１】
本発明はワイヤロープ清掃器に関し、例えばエレベーターに用いられるワイヤロープに適用して好適なものである。
【背景技術】
【０００２】
一般に、エレベーター、リフト、ケーブルカー、クレーン等に使用されているワイヤロープは、ストランドと呼ばれる複数本の鋼線を撚ったものを複数撚り合わせて構成されているため、長手方向に螺旋状に溝のある構造になっている。
【０００３】
ワイヤロープには、摩耗、錆防止等を目的として油が塗布されているが、経年的に使用する場合、ワイヤロープ表面に埃、砂などのゴミの付着、ワイヤロープに塗布された油の硬化等が発生するため、ゴミ、油などを除去して新しい油を塗布する必要がある。清掃の際にはワイヤロープ全周にわたって表面の螺旋状の溝から油を除去する必要があるため、作業に多大な時間がかかっている。
【０００４】
この点、ワイヤロープ表面の油を除去する技術として、ワイヤロープ表面の溝部に噛み合うワイヤロープ表面の清掃部を有し、ワイヤロープの送り出しにより清掃部がワイヤロープの周方向に回転しながらワイヤロープ表面を清掃する技術が開示されている（特許文献１参照。）。
【先行技術文献】
【特許文献】
【０００５】
【特許文献１】特開２０１６−１８８１２６号公報
【発明の概要】
【発明が解決しようとする課題】
【０００６】
上記の特許文献１に係る技術では、ワイヤロープ表面にゴミ、油などが多量に付着している場合、清掃部の目詰まりによる回転不足により、清掃効果を十分に得ることができないという問題がある。
【０００７】
本発明は以上の点を考慮してなされたもので、ワイヤロープの付着物を適切に除去し得るワイヤロープ清掃器を提案しようとするものである。
【課題を解決するための手段】
【０００８】
かかる課題を解決するため本発明においては、ワイヤロープの付着物を除去するワイヤロープ清掃器であって、前記ワイヤロープの付着物を除去するための前記ワイヤロープが通過可能な第１の孔部を有する第１の清掃部と、前記第１の孔部より前記ワイヤロープに全体的または部分的に近接する内部構造を含み、前記第１の孔部を通過した後の前記ワイヤロープの付着物を除去するための前記ワイヤロープが通過可能な第２の孔部を有する第２の清掃部と、を設けるようにした。
【０００９】
上記構成によれば、例えば、ワイヤロープに多量の付着物がある場合であっても、第１の清掃部で大まかに付着物を除去した後、第２の清掃部で細かに付着物を除去するというように、多段式の清掃が行われるので、ワイヤロープの清掃効果を十分に確保し、効率よくワイヤロープの清掃を実施することができる。
【発明の効果】
【００１０】
本発明によれば、ワイヤロープの付着物を適切に除去し得るワイヤロープ清掃器を実現することができる。
【図面の簡単な説明】
【００１１】
【図１】第１の実施の形態によるワイヤロープ清掃器の構成を示す斜視図である。
【図２】第１の実施の形態によるワイヤロープ清掃器の一部を分解したときの構成を示す斜視図である。
【図３】第１の実施の形態による外周清掃部の構成と外周清掃部を分解したときの構成の一部とを示す斜視図である。
【図４】第１の実施の形態による粗仕上げ用溝清掃部の構成と粗仕上げ用溝清掃部を分解したときの構成の一部とを示す斜視図である。
【図５】第１の実施の形態による本仕上げ用溝清掃部の構成と本仕上げ用溝清掃部を分解したときの構成の一部とを示す斜視図である。
【図６】第１の実施の形態によるエレベーターにおけるワイヤロープ清掃器の設置例を示す概念図である。
【発明を実施するための形態】
【００１２】
以下図面について、本発明の一実施の形態を詳述する。
【００１３】
（１）第１の実施の形態
図１において、１は全体として第１の実施の形態によるワイヤロープ清掃器を示す。ワイヤロープ清掃器１は、清掃部２、清掃部２を効率よく回転させるための軸受け部３を有する回転支持部４、および清掃部２と回転支持部４とを支持するための本体支持部５を備える。かかるワイヤロープ清掃器１は、エレベーターのワイヤロープ６に取り付けられ、ワイヤロープ６を清掃する。
【００１４】
より具体的には、清掃部２は、ワイヤロープ６の表面６Ａを清掃可能な外周清掃部７、ワイヤロープ６の溝部６Ｂの第１の深さまで清掃可能な粗仕上げ用溝清掃部８、上記第１の深さより深い第２の深さまで（粗仕上げ用溝清掃部８よりワイヤロープ６に密着して）清掃可能な本仕上げ用溝清掃部９を備える。
【００１５】
かかる清掃部２では、外周清掃部７、粗仕上げ用溝清掃部８、および本仕上げ用溝清掃部９により多段式の清掃が行われる。例えば、外周清掃部７は、ワイヤロープ６の表面６Ａに付着した油、ゴミ等の付着物を除去し、粗仕上げ用溝清掃部８は、外周清掃部７を通過したワイヤロープ６の螺旋状の溝部６Ｂに付着した油、ゴミ等を除去し、本仕上げ用溝清掃部９は、粗仕上げ用溝清掃部８を通過したワイヤロープ６の螺旋状の溝部６Ｂに付着した油、ゴミ等を除去する。なお、清掃部２は、ワイヤロープ６を損傷させないように、プラスチック、ウレタン樹脂などにより形成される。
【００１６】
図２は、ワイヤロープ清掃器１の一部を分解したときの構成を示す斜視図である。
【００１７】
ワイヤロープ清掃器１を構成する清掃部２、回転支持部４、および本体支持部５の各々は、複数に分解（半割、四分割など）可能な構造を有する。かかる構造によれば、ワイヤロープ６の任意の場所にワイヤロープ清掃器１を取付可能となる。なお、本実施の形態では、本体支持部５、回転支持部４、清掃部２の順に、ワイヤロープ６に取付けられる。また、清掃部２においては、本仕上げ用溝清掃部９、粗仕上げ用溝清掃部８、外周清掃部７の順に、ワイヤロープ６に取付けられる。
【００１８】
図３は、外周清掃部７の構成と外周清掃部７を分解したときの構成の一部とを示す斜視図である。
【００１９】
外周清掃部７は、ワイヤロープ６に容易に取付可能とするため、半割部材７Ａおよび半割部材７Ｂによる半割構造を有し、半割部材７Ａおよび半割部材７Ｂを固定するための固定部７Ｃを備える。半割部材７Ａおよび半割部材７Ｂは、ワイヤロープ６を挟んで嵌め合わされる。また、固定部７Ｃには、図示しない固定部材（面ファスナー、ゴムバンド等）が巻き付けられ、半割部材７Ａおよび半割部材７Ｂが嵌め合わされた状態で固定される。
【００２０】
また外周清掃部７は、ワイヤロープ６が通過可能な孔部７Ｄを有し、孔部７Ｄの一端部（ワイヤロープ６の通過方向と反対側の前部）には、ワイヤロープ６に付着した油、ゴミ等をこそぎ落とす内部構造７Ｅが設けられる。孔部７Ｄの内部構造７Ｅにおける直径（外周清掃部７における最も狭い内径）は、清掃の対象とするワイヤロープ６の断面の外接円の直径と同径であり、孔部７Ｄは、ワイヤロープ６を通過させた際にワイヤロープ６外周に接しながら、ワイヤロープ６の表面６Ａに付着した油、ゴミ等をこそぎ落とす（除去する）。
【００２１】
また外周清掃部７は、他の清掃部２の凹部と連結するための多段式構造の凸部７Ｆを上記一端部に有し、他の清掃部２の凸部と連結するための凹部７Ｇを他端部に有すると共に、連結された他の清掃部２によってこそぎ落とされた油、ゴミ等を排出するための排出口７Ｈ，７Ｉを２つずつ備える。なお、排出口７Ｉは、半割部材７Ａおよび半割部材７Ｂを容易に分解（分割）可能とするため、半割部材７Ａおよび半割部材７Ｂが係合する部分を切り欠いて形成される。
【００２２】
図４は、粗仕上げ用溝清掃部８の構成と粗仕上げ用溝清掃部８を分解したときの構成の一部とを示す斜視図である。
【００２３】
粗仕上げ用溝清掃部８は、ワイヤロープ６に容易に取付可能とするため、半割部材８Ａおよび半割部材８Ｂによる半割構造を有し、半割部材８Ａおよび半割部材８Ｂを固定するための固定部８Ｃを備える。半割部材８Ａおよび半割部材８Ｂは、ワイヤロープ６を挟んで嵌め合わされる。また、固定部８Ｃには、図示しない固定部材（面ファスナー、ゴムバンド等）が巻き付けられ、半割部材８Ａおよび半割部材８Ｂが嵌め合わされた状態で固定される。
【００２４】
また粗仕上げ用溝清掃部８は、ワイヤロープ６が通過可能な孔部８Ｄを有し、孔部８Ｄの一端部（ワイヤロープ６の通過方向と反対側の前部）には、外周清掃部７で清掃が漏れたワイヤロープ６の外周に付着した油、ゴミ等をこそぎ落し、かつワイヤロープ６の螺旋状の溝部６Ｂに付着した油、ゴミ等をこそぎ落す内部構造８Ｅが設けられる。内部構造８Ｅは、例えば、ワイヤロープ６の外周の凹凸に合わせて型抜きされた形状であり、内部構造８Ｅには、ワイヤロープ６の螺旋状の溝部６Ｂに合わせた突起部が設けられる。清掃の際にワイヤロープ６を通過させた場合、ワイヤロープ６の螺旋状の溝部６Ｂに沿って粗仕上げ用溝清掃部８が回転しながら、ワイヤロープ６の表面６Ａおよび溝部６Ｂの油、ゴミ等をこそぎ落とす。つまり、内部構造８Ｅには、ワイヤロープ６の送り出しまたは巻き取り動作に合わせてワイヤロープ６の周方向に粗仕上げ用溝清掃部８が回転するように、ワイヤロープ６に係合する係合部が設けられ、係合部によりワイヤロープ６の表面６Ａおよび溝部６Ｂの付着物が除去される。
【００２５】
また粗仕上げ用溝清掃部８は、他の清掃部２の凹部と連結するための多段式構造の凸部８Ｆを上記一端部に有し、他の清掃部２の凸部と連結するための凹部８Ｇを他端部に有すると共に、連結された他の清掃部２によってこそぎ落とされた油、ゴミ等を排出するための排出口８Ｈ，８Ｉを２つずつ備える。なお、排出口８Ｉは、半割部材８Ａおよび半割部材８Ｂを容易に分解（分割）可能とするため、半割部材８Ａおよび半割部材８Ｂが係合する部分を切り欠いて形成される。
【００２６】
図５は、本仕上げ用溝清掃部９の構成と本仕上げ用溝清掃部９を分解したときの構成の一部とを示す斜視図である。
【００２７】
本仕上げ用溝清掃部９は、ワイヤロープ６に容易に取付可能とするため、４分割部材９Ａ，９Ｂ，９Ｃ，９Ｄによる４分割構造を有し、４分割部材９Ａ，９Ｂ，９Ｃ，９Ｄを固定するための固定部９Ｅを備える。４分割部材９Ａ，９Ｂ，９Ｃ，９Ｄは、ワイヤロープ６を挟んで嵌め合わされる。また、固定部９Ｅには、図示しない固定部材（面ファスナー、ゴムバンド等）が巻き付けられ、４分割部材９Ａ，９Ｂ，９Ｃ，９Ｄが嵌め合わされた状態で固定される。
【００２８】
また本仕上げ用溝清掃部９は、ワイヤロープ６が通過可能な孔部９Ｆを有し、孔部９Ｆの一端部（ワイヤロープ６の通過方向と反対側の前部）には、粗仕上げ用溝清掃部８で清掃が漏れたワイヤロープ６の外周に付着した油、ゴミ等をこそぎ落し、かつワイヤロープ６の螺旋状の溝部６Ｂに付着した油、ゴミ等をこそぎ落す内部構造９Ｇが設けられる。内部構造９Ｇは、例えば、ワイヤロープ６の外周の凹凸に合わせて型抜きされた形状であり、内部構造９Ｇには、ワイヤロープ６の螺旋状の溝部６Ｂに合わせた突起部であって、粗仕上げ用溝清掃部８に比べてワイヤロープ６の螺旋状の溝部６Ｂにさらに密着する突起部（粗仕上げ用溝清掃部８に比べて溝部６Ｂとのすき間がより小さくなるように形成された突起部）が設けられる。清掃の際にワイヤロープ６を通過させた場合、ワイヤロープ６の螺旋状の溝部６Ｂに沿って本仕上げ用溝清掃部９が回転しながら、ワイヤロープ６の表面６Ａおよび溝部６Ｂに付着した油、ゴミ等をこそぎ落とす。つまり、内部構造９Ｇには、ワイヤロープ６の送り出しまたは巻き取り動作に合わせてワイヤロープ６の周方向に本仕上げ用溝清掃部９が回転するように、ワイヤロープ６に係合する係合部が設けられ、本係合部は、粗仕上げ用溝清掃部８の係合部よりもワイヤロープ６に密着し、本係合部によりワイヤロープ６の表面６Ａおよび溝部６Ｂの付着物が除去される。なお、ワイヤロープ６の密着度が高い本仕上げ用溝清掃部９については、４分割構造とすることで、ワイヤロープ６への取り付けを容易に行うことができる。
【００２９】
また本仕上げ用溝清掃部９は、他の清掃部２の凹部と連結するための多段式構造の凸部９Ｈを上記一端部に有すると共に、４分割部材９Ａ，９Ｂ，９Ｃ，９Ｄを容易に分解（分割）可能とするため、４分割部材９Ａ，９Ｂ，９Ｃ，９Ｄが係合する部分を切り欠いて形成される分解支援部９Ｉを有する。
【００３０】
なお、外周清掃部７の半割部材７Ａ，７Ｂ、粗仕上げ用溝清掃部８の半割部材８Ａ，８Ｂ、本仕上げ用溝清掃部９の４分割部材９Ａ，９Ｂ，９Ｃ，９Ｄについては、誤った嵌め合わせが行われないように、嵌め合わせのための突起物および挿入口の位置、大きさ、形が部材の種類に応じて異なるように構成されている。
【００３１】
図６は、エレベーター２０におけるワイヤロープ清掃器１の設置例を示す。
【００３２】
エレベーター２０は、乗りかご２１および釣合錘２２を備える。乗りかご２１および釣合錘２２は、昇降路２３の上部に設けられた機械室２４の巻上機２５を介して主ロープ２６でつるべ式に懸垂され、それぞれ昇降路２３の壁に固定配置された図示しない乗りかご用ガイドレールおよび図示しない釣合錘用ガイドレールに沿って昇降する。巻上機２５は、乗りかご２１を昇降駆動する昇降機構であり、乗りかご２１の昇降運転を制御する図示しない制御盤と共に機械室２４に設置される。また乗りかご２１の底部および釣合錘２２の底部には、主ロープ２６の重量差を補償するコンペンロープ２７が、枠２８により回転可能に支持されるコンペンプーリ２９を介して連結されている。
【００３３】
コンペンロープ２７の清掃時、作業員は、コンペンロープ２７の汚れに応じて少なくとも１つ以上の清掃部２を選定して取り付けたワイヤロープ清掃器１を枠２８上に設置する。そして、コンペンロープ２７を清掃部２から本体支持部５の方向へ移動するようにエレベーター２０を動作させ、コンペンロープ２７と共に移動する油、ゴミ等を清掃部２に通過させることでこそぎ落とす。
【００３４】
上記構成によれば、例えば、外周清掃部７、粗仕上げ用溝清掃部８、および本仕上げ用溝清掃部９の２つ以上の清掃部２を組み合わせて、ワイヤロープ６の表面６Ａ、溝部６Ｂというように段階的に油、ゴミ等を除去することで、ワイヤロープ６に多量の油、ゴミ等がある場合にも目詰まりによる回転不足を防止し、清掃効率の向上が可能となる。
【００３５】
また上記構成によれば、ワイヤロープ６の汚れ具合に応じて清掃部２を自在に組み合わせることができるので、ワイヤロープ６を適切に清掃することができる。
【００３６】
また上記構成によれば、仮に目詰まりが生じた場合でも、固定部材が外れる、ちぎれる、伸びる等することにより、清掃部２を破損してしまう事態を低減することができる。
【００３７】
（２）他の実施の形態
なお上述の実施の形態においては、本発明をエレベーターに用いられるワイヤロープに適用するようにした場合について述べたが、本発明はこれに限らず、機械、建設、船舶、漁業、林業、鉱業、索道などに用いられるこの他種々のロープに広く適用することができる。
【００３８】
また上述の実施の形態においては、外周清掃部として外周清掃部７を設ける場合について述べたが、本発明はこれに限らず、外周清掃部として外周清掃部７とは内径が異なる複数の外周清掃部を設けるようにしてもよい。例えば、外周清掃部７よりも内径が大きい第１の内径である中型外周清掃部、中型外周清掃部よりも内径が大きい第２の内径である大型外周清掃部、大型外周清掃部よりも内径が大きい第３の内径である極大型外周清掃部を設けてもよい。つまり、外周清掃部の内径（孔部）は、ワイヤロープの外周の付着物を除去するように、ワイヤロープの外接円の直径以上の直径を有するものである。
【００３９】
また上述の実施の形態においては、外周清掃部と溝清掃部とを組み合わせた場合について述べたが、本発明はこれに限らず、内径の異なる外周清掃部のみを組み合わせてもよいし、係合部（突起部）の寸法が異なる溝清掃部のみを組み合わせてもよい。
【００４０】
また上述の実施の形態においては、外周清掃部７、粗仕上げ用溝清掃部８、および本仕上げ用溝清掃部９を互いに連結可能な場合について述べたが、本発明はこれに限らず、ワイヤロープ６の付着物を段階的に除去できるように複数種類の清掃器が予め一体となって構成されていてもよい。
【００４１】
また上述の実施の形態においては、外周清掃部７が排出口７Ｈ，７Ｉを２つずつ備える場合について述べたが、本発明はこれに限らず、外周清掃部７は、排出口を１つ備えるようにしてもよいし、排出口をその他の数だけ備えるようにしてもよい。
【００４２】
また上述の実施の形態においては、粗仕上げ用溝清掃部８が排出口８Ｈ，８Ｉを２つずつ備える場合について述べたが、本発明はこれに限らず、粗仕上げ用溝清掃部８は、排出口を１つ備えるようにしてもよいし、排出口をその他の数だけ備えるようにしてもよい。
【００４３】
また上述の実施の形態においては、本仕上げ用溝清掃部９は、上述の構成に限られるものではなく、他の清掃部２の凸部と連結するための凹部を他端部に有し、連結された他の清掃部２によってこそぎ落とされた油、ゴミ等を排出するための排出口を他端部に有してもよい。この場合、分解支援部９Ｉが排出口を兼ねるように構成してもよい。
【００４４】
なお、排出口の形状、寸法、設置位置については、適宜に採用可能である。
【００４５】
また上述の実施の形態においては、外周清掃部７が排出口７Ｈ，７Ｉが備え、粗仕上げ用溝清掃部８が排出口８Ｈ，８Ｉを備える場合について述べたが、本発明はこれに限らず、外周清掃部７および粗仕上げ用溝清掃部８（清掃部２）は、排出口を備えなくてもよい。この場合、第１の清掃部２と、第１の清掃部２に続いて設けられる第２の清掃部との間に、第２の清掃部２によってこそぎ落とされた付着物を排出するための排出部が設けられることが好適である。例えば、外周清掃部７と粗仕上げ用溝清掃部８との間に、粗仕上げ用溝清掃部８によってこそぎ落とされた油、ゴミ等を排出するための排出部が設けられ、粗仕上げ用溝清掃部８と本仕上げ用溝清掃部９との間に、本仕上げ用溝清掃部９によってこそぎ落とされた油、ゴミ等を排出するための排出部が設けられる。なお、排出部の形状、寸法、設置位置については、適宜に採用可能である。
【００４６】
また上述の実施の形態においては、複数の清掃部を組み合わせる場合について述べたが、清掃部の識別を容易にすべく、清掃部ごとにまたは清掃部の種類（外周清掃部、溝清掃部）ごとに色を異ならせてもよい。また、ワイヤロープの清掃後に、ワイヤロープ清掃器１の取り忘れを回避すべく、清掃部の色を目立つ色とすることが好適である。なお、清掃部にテープなどを貼ってもよいし、清掃部に色を付けてもよいし、その他の方法を用いて清掃部の色を目立つ色としてもよい。
【００４７】
また上述の実施の形態においては、ワイヤロープ清掃器１をコンペンロープ２７に装着した場合について述べたが、本発明はこれに限らず、ワイヤロープ清掃器１を主ロープ２６に装着するようにしてもよい。この場合、ワイヤロープ清掃器１を機械室２４に設けることができる。
【００４８】
また上述の実施の形態においては、ワイヤロープ清掃器１が回転支持部４および本体支持部５を備える場合について述べたが、本発明はこれに限らず、回転支持部４を設けずに、本体支持部５が軸受け部３を有する等して清掃部２を回転（回動）可能に支持するものとしてもよい。
【００４９】
上述のように、本発明に係るワイヤロープ清掃器は、例えば、ワイヤロープが通過可能な第１の孔部を有する第１の清掃部（外周清掃部、溝清掃部等）と、第１の孔部よりワイヤロープに全体的に近接する内部構造（例えば、外周清掃部の内部構造）、または部分的に近接する内部構造（例えば、突起部を含む溝清掃部の内部構造）を含み、ワイヤロープが通過可能な第２の孔部を有する第２の清掃部（例えば、第１の清掃部が外周清掃部である場合、第１の清掃部よりも内径の小さい外周清掃部または溝清掃部、第１の清掃部が溝清掃部である場合、第１の溝清掃部の係合部よりもワイヤロープにより密着する係合部を有する溝清掃部）と、を備えることを特徴とする。
【符号の説明】
【００５０】
１……ワイヤロープ清掃器、２……清掃部、３……軸受け部、４……回転支持部、５……本体支持部、６……ワイヤロープ、７……外周清掃部、８……粗仕上げ用溝清掃部、９……本仕上げ用溝清掃部。
【図１】
2018203501.tif 000003
【図２】
2018203501.tif 000004
【図３】
2018203501.tif 000005
【図４】
2018203501.tif 000006
【図５】
2018203501.tif 000007
【図６】
2018203501.tif 000008